(57)【要約】【課題】足置き部材と伸縮部材と足掛け部材で構成される筋肉トレーニング器において、足先の回転に連動して足掛け部材が共に回転する構造とし、運動がスムーズにできることを課題とする。【解決手段】  上記課題を解決するために、本発明は少なくとも、足を乗せる足置き部材と足置き部材に取り付けられた、或る長さを有し且つ柔軟性と伸縮機能を有する伸縮部材と伸縮部材に取り付けられ、足先を囲う構造を有する足掛け部材で構成された筋肉トレーニング器の足掛け部材において、該足掛け部材の外側周囲には環状に形成された引き張り部材が外部周囲に沿って擦り動かせる状態で取り付けられている。そして、引き張り部材が取り付けられた箇所には、引き張り部材の底部の下側に位置する面から上側方向に或る高さの面を有するズレ防止部が足掛け部材の外部周囲に亘り、連続的又は断続的に形成されている。そして、引き張り部材の任意の箇所に伸縮部材が連結されていることを特徴とする筋肉トレーニング器を提供する。【選択図】図２
2009183661.tif 000002
【特許請求の範囲】
【請求項１】
少なくとも、足を乗せる足置き部材と足置き部材に取り付けられた、或る長さを有し且つ柔軟性と伸縮機能を有する伸縮部材と伸縮部材に取り付けられ、足先を囲う構造を有する足掛け部材とで構成された筋肉トレーニング器の足掛け部材において、該足掛け部材の外側周囲には環状に形成された引き張り部材が外側周囲に沿って擦り動かせる状態で取り付けられている。そして、引き張り部材が取り付けられた箇所には、引き張り部材の底部の下側に位置する面から上側方向に或る高さの面を有するズレ防止部が足掛け部材の外側周囲に亘り、連続的又は断続的に形成されている。そして引き張り部材の任意の箇所に伸縮部材が連結されていることを特徴とする筋肉トレーニング器。
【請求項２】
ズレ防止部を溝で形成したことを特徴とする請求項１に記載の筋肉トレーニング器。
【請求項３】
引き張り部材を紐状又は帯状の部材で形成したことを特徴とする請求項１〜２のいずれかに記載の筋肉トレーニング器。
【請求項４】
引き張り部材を伸縮部材で形成したことを特徴とする請求項１〜３のいずれかに記載の筋肉トレーニング器。
【請求項５】
引き張り部材と伸縮部材を別の部材で連結したことを特徴とする請求項１〜４のいずれかに記載の筋肉トレーニング器。
【請求項６】
伸縮部材をゴム材で形成したことを特徴とする請求項１〜５のいずれかに記載の筋肉トレーニング器。
【請求項７】
足掛け部材を筒状に形成し、筒の上部から下部に至るに随って連続的に筒の差し渡しの寸法を小さくしたことを特徴とする請求項１〜６のいずれかに記載の筋肉トレーニング器。
【発明の詳細な説明】
【技術分野】
【０００１】  本発明は足腰の筋肉を鍛え、身体のスリム化を図るための筋肉トレーニング器に関する。
【背景技術】
【０００２】  従来、足腰の筋肉を鍛え、贅肉を取り身体をスリムにするための器具は色々提供されている。其の中にはツイスト運動を伴う足踏み運動器具や室内で使用する自転車ペダル漕ぎ器具や馬のサドル状の物に座り、それを機械で揺り動かす器具など色々であるが、それらの器具は運動の範囲が限定されるものが多く、足腰全体を効率良くトレーニングできるものでは無かった。前記問題を解決すべく、本発明出願人は平成１８年１２月１９日に出願番号２００６−２５７０２１で１つのアイデアを筋肉トレーニングの名称で特許出願したが、そこで記述した足を掛ける足掛け部では、使用中に足先の回転に連動して足掛け部の部材が回転しないため、足先だけが足掛け部の中で動いてしまい、その為、部材の内側と足先が擦れたり、部材が足先に固定されずに脱げてしまうと云った使い勝手の悪さが生じていた。
【発明が解決をしようとする課題】
【０００３】本発明においては前記特許出願の筋肉トレーニング器において、足を掛ける部材部分が足先の回転と共にスムーズに回転することを課題とする。
【課題を解決するための手段】
【０００４】  上記課題を解決する為、本発明は次ぎの如き筋肉トレーニング器を提供する。
１、少なくとも、足を乗せる足置き部材と足置き部材に取り付けられた、或る長さを有し且つ柔軟性と伸縮機能を有する伸縮部材と伸縮部材に取り付けられ、足先を囲う構造を有する足掛け部材とで構成された筋肉トレーニング器の足掛け部材において、該足掛け部材の外側周囲には環状に形成された引き張り部材が外側周囲に沿って擦り動かせる状態で取り付けられている。そして、引き張り部材が取り付けられた箇所には、引き張り部材の底部の下側に位置する面から上側方向に或る高さの面を有するズレ防止部が足掛け部材の外側周囲に亘り、連続的又は断続的に形成されている。そして引き張り部材の任意の箇所に伸縮部材が連結されていることを特徴とする筋肉トレーニング器。
２、ズレ防止部を溝で形成したことを特徴とする上記第１項に記載の筋肉トレーニング器。
３、引き張り部材を紐状又は帯状の部材で形成したことを特徴とする上記第１〜２項のいずれかに記載の筋肉トレーニング器。
４、引き張り部材を伸縮部材で形成したことを特徴とする上記第１〜３項のいずれかに記載の筋肉トレーニング器。
５、伸縮部材と引き張り部材を別の部材で連結したことを特徴とする上記第１〜４項のいずれかに記載の筋肉トレーニング器。
６、伸縮部材をゴム材で形成したことを特徴とする上記第１〜５項のいずれかに記載の筋肉トレーニング器。
７、足掛け部材を筒状に形成し、筒の上部から下部に至るに随って連続的に筒の差し渡し寸法を小さくしたことを特徴とする上記第１〜６項のいずれかに記載の筋肉トレーニング器。
【発明実施の形態】
【０００５】  以下、図面を参照しながら本発明の各種態様に係る筋肉トレーニング器に関して説明する。以下の説明は本発明の技術思想を具現化する幾つかの具体例を説明するものであり、本発明は以下の説明に限定されるものではない。
【０００６】  図１は本発明の一態様に係る筋肉トレーニング器の形態を示す斜視図である。図１の筋肉トレーニング器は足を乗せる足置き部材１と足置き部材１に取り付けられた伸縮部材２と伸縮部材２に取り付けられた足掛け部材３の少なくとも三つの部材から構成されている。
【０００７】  これを使用するには足置き部材１の上面に片足を乗せて立ち、他方の足先を足掛け部材３の中に差し入れて動かし、伸縮部材２を任意の方向に引き伸ばす。こうすると伸縮部材２が伸縮機能を有しているので、引き伸ばすことにより張力が生じ、足腰の筋肉に負荷を与えることができる。左右の足を交換することにより、他片側にも同様に負荷を与えることができ、左右の足腰の筋肉を鍛えることができる。
【０００８】  次ぎに各部分の詳細に就いて説明する。足置き部材１は足を乗せるための台座である。図１では板状の部材で示されているが、形状は任意であり、足を乗せられる大きさを有していれば良い。実施上、縦、横の寸法が１０ｃｍ以上で高さは１０ｃｍ以内が好ましい。材質も任意である。次ぎに足置き部材１に取り付けられている伸縮部材２であるが、この伸縮部材２は或る長さを有しており且つ柔軟性と伸縮機能を有した部材で形成されている。図１では或る長さを有し且つ柔軟性と伸縮機能を有するものとして、紐状のゴム材の使用例を示している。実施上、紐状の部材以外でも或る長さを有するものであれば良く、それらとしては帯状、鎖状の部材などが挙げられる。太さは断面積で１ｃｍ２程度、長さは３０ｃｍ以上が好ましい。又、柔軟性は構造的にでも材質的にでも構わない。又、伸縮機能を有することには、部材自体が材質により伸縮機能を有する場合と伸縮機能を有しない紐状などの部材に伸縮機能を有するバネ材などを取り付けた場合があり、この２ケースをどちらも伸縮機能を有すると云うことができる。次ぎに伸縮部材２に取り付けられた足掛け部材３であるが、足先を囲う構造を有しており、使用する際、足先を足掛け部材３の内側に入れ、足の甲側又は裏側に掛けて動かすものである。図１では概ね円形の筒の先を閉じて袋状に形成し、其の上部一箇所に伸縮部材を接続しているが、これは従来の構造であって、これを使用すると、引き伸ばしながら足先を回転させ場合、足掛け部材３に伸縮部材２が固定されている為、足先だけが足掛け部材３の中で回転して、内側で足先が部材と擦れ使い難い構造となっていた。本発明はこの構造を改善するものである。これに就いて以下説明する。
【０００９】  図２は本発明に係る筋肉トレーニング器の形態を示す斜視図（ａ）と足掛け部材３の断面を示す部分断面図（ｂ）である。図２に示す筋肉トレーニング器において、足掛け部材３は断面が概ね楕円形の筒状の部材の中間辺りから差し渡し寸法を連続的に絞って先端を閉じ袋状にした形状となっている。該足掛け部材３の上方には足掛け部材３の外側周囲に亘り引き張り部材４が環状に取り付けられている。この際、引き張り部材４は足掛け部材３に固定せずに巻き付けられた状態になっており、更に引き張り部材４は足掛け部材３の外部周囲を擦って動ける状態となっている。そして、足掛け部材３には引き張り部材４を挟んで上下に溝状のズレ防止部５が外部周囲に或る高さの面を有して、連続的に形成されており、このズレ防止部５により、引き張り部材４が擦り動いた際に上下のズレを防ぐ役割を果たす。そして引き張り部材４には伸縮部材２が連結されている。この構造により、伸縮部材２を引き伸ばしながら足先を回転させても、足掛け部材３自体が足先の回転と共に引き張り部材４の中で擦り動くので、従来、足掛け部材３の中で足先を無理に動かさざるを得なかった不具合を解決することとなるのである。
【００１０】  次ぎに足掛け部材３の各部の詳細に就いて説明する。図２に示す足掛け部材３は断面が概ね楕円形の筒状で先を絞って袋状にした形状であるが、これ以外に単なる円形の筒状のものや断面がＣ形の筒状のものなど形状は任意である。足掛け部材３は足の甲部から指先の方向、即ち足先の周囲を囲う構造を有しているものであれば良い。次ぎに引き張り部材４であるが、これは足掛け部材３の外側周囲に取りつけられる環状の部材である。使用する際、伸縮部材２の張力により、引き張り部材４が足掛け部材３の外側面に引き寄せられ、その結果足掛け部材３の外側周囲を擦って動く状態が生じるのである。引き張り部材４は図２では柔軟な紐状の部材で形成した形態を示している。断面形状は任意であるが実施上、太さは断面積が１ｃｍ２以内程度のものが好ましい。材質も任意であり、硬質であっても構わないが、使い勝手の点からは柔軟性を有している方が好ましい。又、伸縮性を有していても良い。少しの伸縮性であれば、環状にした引き張り部材４を外側から溝に嵌めこむ際に容易となるので好ましい。
【００１１】  次ぎに足掛け部材３と引き張り部材４の取り付け箇所の構造の詳細を図３（ａ）と（ｂ）と（ｃ）と（ｄ）と（ｅ）と（ｆ）と（ｇ）で説明する。図３（ａ）はズレ防止部５を溝状に形成した構造の一部分を示す部分断面図である。図（ａ）においては、足掛け部材３の上側に引き張り部材４が取り付けられている。その脇に引き張り部材４を左右から挟む形で溝状の形態となるズレ防止部５が形成されている。図（ａ）においてズレ防止部５は引き張り部材４の底部６の下側に位置する足掛け部材３の面から上側方向に、即ち外側に向かって立ち上がった形となっている。この高さを有する溝の面よって引き張り部材４は溝の外にズレ出ることを阻止され、足掛け部材３の周囲を擦り動くことができることとなる。図（ａ）で引き張り部材４の底部６と足掛け部材３の外側面を離して示しているが、これは説明上この様に記したものであり、実際には接触して擦り動く箇所を示すものである。図（ｂ）は断面が帯状の引き張り部材４を取り付けた構造の一部分を示す部分断面図である。図（ｂ）ではズレ防止部５を足掛け部材３の面を凹形の溝にして形成した図である。この場合も図（ａ）と同様に引き張り部材４の底部６の下側に位置する面より上側方向に面を形成することによりズレ防止部５を形成している。図（ｃ）はズレ防止部５の面を傾斜させて形成した構造の一部分を示す部分断面図である。図（ｄ）はズレ防止部５にＵ字形の引き張り部材４を嵌め合わせて形成した構造の一部分を示す部分断面図である。この場合、Ｕ字形の両端部が底部６でありズレ防止部５の頂部６の上側に位置する面は引き張り部材４の内側面である。この形態においても、足掛け部材３と引き張り部材４を硬質な部材で円形に形成すれば、外れること無く擦り動かすことができる。図（ｅ）はズレ防止部５を足掛け部材３の周囲に断続的に形成した形態の一部分を示す部分側面図である。この様にズレ防止部５を断続させても同じ効果を得られる。図（ｆ）は足掛け部材３と引き張り部材４との間に摩擦係数の小さなフッ素樹脂などの板材８を入れた構造の一部分を示す部分断面図である。この様にすると摩擦が減少し引き張り部材４をスムーズに擦り動かすことができる。図（ｇ）は足掛け部材３と引き張り部材４の間に回転ローラー９を取り付けた構造の一部分を示す部分断面図である。この様に回転ローラー９を周囲に取り付けることにより引き張り部材４の動きをスムーズにすることができる。この場合、回転ローラー９は足掛け部材３の周囲に複数個取りつけても良いし、足掛け部材３を囲む一つの回転ローラーでも良い。
【００１２】  次ぎに引き張り部材４と伸縮部材２との連結方法に就いて、図２以外の態様を説明する。図２以外の方法として、引き張り部材４を伸縮部材２で形成しても良い。この場合、伸縮部材２が引き伸ばされた際、引き張り部材４も伸びるが、その場合、引き張り部材４の環の長さを絞るか又は引き張り部材４の伸びに対し、溝の高さを高めることによって、溝から外れることを防ぐことができる。又、その他の方法として、図４の方法が挙げられる。図４（ａ）は伸縮部材２の先端を環状にして、その中に引き張り部材４を通した構造を示す断面図である。この様に連結すると、足掛け部材３の周囲を引き張り部材４が擦り動き、更に引き張り部材４に沿って伸縮部材２も擦り動くことができるので、回転をよりスムーズにすることができる。図（ｂ）は引き張り部材４と伸縮部材２を別の部材で連結した構造の部分を示す断面図である。図（ｂ）では別の部材を環状のジョイント部材１０で形成している。この様にすると、図（ａ）と同様に、引き張り部材４は足掛け部材３の周囲を擦り動き、更にジョイント部材１０が引き張り部材４に沿って擦り動くことができるので、伸縮部材２が引き伸ばされた際、足掛け部材３の回転を、よりスムーズにすることができる。
【００１３】  図５（ａ）と（ｂ）は本発明の一態様に掛かる筋肉トレーニング器の足掛け部材３の形態を示す斜視図である。図５においては引き張り部材とズレ防止部は省略している。図５（ａ）に示す足掛け部材３は上部にバンド１１を取り付け、該バンド１１の端部に固定具１２を取り付けた図である。このバンド１１により足掛け部材３を足の大小に拘わらず長さを調節して固定することができる。実施上、バンド１１の形状は紐状又は帯状など任意であり、材質も任意である、伸縮機能を有するゴムバンドなどを使用しても良い。図（ｂ）は図（ａ）と同様にバンド１１を取り付けた図であるが図（ｂ）のバンド１１は足掛け部材３を足先に掛けた際、足先から外れることを防ぐために踵に掛けるためのものである。形状は任意であり、紐状又は帯状又は鎖状など実施の際、適宜決定することができる。固定方法も任意である。材質も任意であるが、実施上、伸縮機能を有するゴム材などが好ましい。
【００１４】  上記において、本発明の筋肉トレーニング器の各部の好ましい形状及び寸法及び材質に就いて説明したが、上記説明に限定されること無く、形状、寸法、材質、は適宜経験的に決定できる。
【発明の効果】
【００１５】  本発明に掛かる筋肉トレーニング器に依れば、足を自在な方向に引き動かせるので、足腰の筋肉を立体的にトレーニングすることができる。更に使用中、足先と連動させて足掛け部材が動くので、足掛け部材の中での部材と足の擦れを防ぐことができ、スムーズな運動を実現することができる。
【図面の簡単な説明】
【図１】  本発明の一態様に係る筋肉トレーニング器の形態を示す斜視図である。
【図２】  本発明の一態様に係る筋肉トレーニング器の形態示す斜視図（ａ）と一部分の断面を示す部分断面図（ｂ）である。
【図３】  本発明の一態様に係る筋肉トレーニング器の構造及び形態の一部分を示す部分断面図（ａ）と（ｂ）と（ｃ）と（ｄ）と（ｆ）と（ｇ）及び部分側面図（ｅ）である。
【図４】  本発明の一態様に係る筋肉トレーニング器の構造の一部分を示す断面図（ａ）と（ｂ）である。
【図５】  本発明の一態様に係る筋肉トレーニング器の形態の一部分を示す斜視図（ａ）と（ｂ）である。
【符号の説明】
１、足置き部材
２、伸縮部材
３、足掛け部材
４、引き張り部材
５、ズレ防止部
６、底部
７、頂部
８、板材
９．回転ローラー
１０、ジョイント部材
１１、バンド
１２、固定具
【図１】
2009183661.tif 000003
【図２】
2009183661.tif 000004
【図３】
2009183661.tif 000005
【図４】
2009183661.tif 000006
【図５】
2009183661.tif 000007